【手続補正書】
【提出日】平成22年3月16日(2010.3.16)
【手続補正１】
【補正対象書類名】特許請求の範囲
【補正対象項目名】全文
【補正方法】変更
【補正の内容】
【特許請求の範囲】
【請求項１】
複数の外部接続機器と通信可能であり、オーディオ信号を前記外部接続機器に送信するオーディオ信号送信装置であって、
前記オーディオ信号を外部へ出力する外部出力部と、
通信可能な状態にある前記外部接続機器に前記オーディオ信号を送信するオーディオ信号送信部と、
前記オーディオ信号を受信した少なくとも１の前記外部接続機器から、ヘッドフォンにより前記オーディオ信号を出力するヘッドフォン機能が有効であることを示すヘッドフォン情報を受信した場合に、前記外部出力部による出力を停止させるように制御する音声出力制御部と、
を備える、オーディオ信号送信装置。
【請求項２】
前記音声出力制御部は、さらに、前記少なくとも１の外部接続機器が受信した前記オーディオ信号の外部出力を停止させるように制御する、請求項１に記載のオーディオ信号送信装置。
【請求項３】
前記音声出力制御部は、前記少なくとも１の外部接続機器以外の他の前記外部接続機器が通信可能な状態にある場合に、前記他の外部接続機器が受信した前記オーディオ信号の外部出力を停止させるように制御する、請求項２に記載のオーディオ信号送信装置。
【請求項４】
前記オーディオ信号送信部は、前記オーディオ信号を複数のチャンネルを介して前記外部接続機器に送信しており、
前記少なくとも１の外部接続機器から前記ヘッドフォン情報を受信した場合に、前記複数のチャンネルのそれぞれで送信している前記オーディオ信号の種別を表すチャンネルマッピング情報を、前記ヘッドフォン機能が有効な前記外部接続機器が出力可能な前記オーディオ信号の種別を含む情報に変更するチャンネルマッピング情報生成部をさらに備える、請求項１に記載のオーディオ信号送信装置。
【請求項５】
前記チャンネルマッピング情報生成部により変更された前記チャンネルマッピング情報を、少なくとも前記ヘッドフォン情報を送信した前記外部接続機器に提供するチャンネルマッピング情報提供部をさらに備える、請求項４に記載のオーディオ信号送信装置。
【請求項６】
前記音声出力制御部は、前記チャンネルマッピング情報提供部から、前記変更後の前記チャンネルマッピング情報を取得した前記外部接続機器に対して、当該外部接続機器が受信した前記オーディオ信号の外部出力を停止させるように制御する、請求項５に記載のオーディオ信号送信装置。
【請求項７】
前記音声出力制御部は、前記チャンネルマッピング情報提供部から、前記変更後の前記チャンネルマッピング情報を取得していない前記外部接続機器に対して、当該外部接続機器が受信した前記オーディオ信号の外部出力を維持させるように制御する、請求項６に記載のオーディオ信号送信装置。
【請求項８】
前記少なくとも１の外部接続機器から前記ヘッドフォン情報を受信した場合に、前記オーディオ信号送信装置と通信可能な状態にある前記外部接続機器のそれぞれについて、前記オーディオ信号の外部出力を停止させる必要があるか否かを、前記外部接続機器の出力可能なオーディオ信号の種別に応じて判断する出力可否判断部と、
前記出力可否判断部の判断に応じて、前記外部接続機器に対して、前記オーディオ信号の外部出力の停止を指示するミュート信号を送信するミュート信号送信部と、
をさらに備え、
前記音声出力制御部は、
前記出力可否判断部により前記オーディオ信号の外部出力を停止させる必要があると判断された前記外部接続機器に対して、前記ミュート信号を送信させるように前記ミュート信号送信部を制御し、
前記出力可否判断部により前記オーディオ信号の外部出力を停止させる必要がないと判断された前記外部接続機器に対して、前記ミュート信号を送信させないように前記ミュート信号送信部を制御する、請求項１に記載のオーディオ信号送信装置。
【請求項９】
前記外部接続機器に対して、前記オーディオ信号の外部出力の停止を指示するミュート信号を送信するミュート信号送信部をさらに備え、
前記オーディオ信号送信部は、前記オーディオ信号を複数のチャンネルを介して前記外部接続機器に送信しており、
前記音声出力制御部は、前記複数のチャンネルのうちの特定のチャンネルを介して送信された前記オーディオ信号を外部出力している前記外部接続機器に対して、前記ミュート信号を送信させるように前記ミュート信号送信部を制御する、請求項１に記載のオーディオ信号送信装置。
【請求項１０】
前記ヘッドフォン機能を解除したことを示すヘッドフォン解除情報を受信した場合に、前記ヘッドフォン機能が有効な前記外部接続機器の有無を判断する接続状況管理部をさらに備え、
前記音声出力制御部は、
前記接続状況管理部により、前記ヘッドフォン機能が有効な前記外部接続機器が有ると判断された場合には、前記外部出力部による出力の停止状態を維持させるように制御し、
前記接続状況管理部により、前記ヘッドフォン機能が有効な前記外部接続機器が無いと判断された場合には、前記外部出力部による出力を再開させるように制御する、請求項１に記載のオーディオ信号送信装置。
【請求項１１】
前記オーディオ信号送信部は、前記オーディオ信号を複数のチャンネルを介して前記外部接続機器に送信しており、
前記オーディオ信号送信装置と前記外部接続機器とは、同一のコンテンツに対応する異なる前記チャンネルで送信している前記オーディオ信号を出力する、請求項１に記載のオーディオ信号送信装置。
【請求項１２】
複数の外部接続機器と通信可能であり、前記外部接続機器から受信した前記オーディオ信号を出力するオーディオ信号受信装置であって、
通信可能な状態にある前記外部接続機器から前記オーディオ信号を受信するオーディオ信号受信部と、
ヘッドフォンにより前記オーディオ信号を出力するヘッドフォン機能が有効である場合に、前記外部接続機器に、前記ヘッドフォン機能が有効であることを示すヘッドフォン情報を送信するヘッドフォン情報送信部と、
を備える、オーディオ信号受信装置。
【請求項１３】
前記オーディオ信号受信部が受信した前記オーディオ信号を前記ヘッドフォンにより出力するヘッドフォン出力部と、
前記複数のチャンネルのそれぞれで送信している前記オーディオ信号の種別を表すチャンネルマッピング情報を、前記外部接続機器から取得するチャンネルマッピング情報取得部と、
取得した前記チャンネルマッピング情報に基づいて、前記オーディオ信号受信部が受信した前記オーディオ信号の中に、前記ヘッドフォン出力部が出力可能な前記オーディオ信号の種別であるヘッドフォン出力用オーディオ信号が含まれるか否かを判断する出力可否判断部と、
前記ヘッドフォン機能が有効である場合に、前記出力可否判断部により前記ヘッドフォン出力用オーディオ信号が含まれると判断された場合には、当該ヘッドフォン出力用オーディオ信号を前記ヘッドフォン出力部に出力させるように制御する音声出力制御部と、
をさらに備える、請求項１２に記載のオーディオ信号受信装置。
【請求項１４】
前記オーディオ信号受信部が受信した前記オーディオ信号を外部へ出力する外部出力部をさらに備え、
前記出力可否判断部は、さらに、取得した前記チャンネルマッピング情報に基づいて、前記オーディオ信号受信部が受信した前記オーディオ信号の中に、前記外部出力部が出力可能な前記オーディオ信号の種別である外部出力用オーディオ信号が含まれるか否かを判断し、
前記音声出力制御部は、前記ヘッドフォン機能が有効である場合に、前記出力可否判断部により前記外部出力用オーディオ信号が含まれないと判断された場合には、前記外部出力部による出力を停止させるように制御する、請求項１３に記載のオーディオ信号受信装置。
【請求項１５】
オーディオ信号を外部接続機器に送信するオーディオ信号送信装置と、前記オーディオ信号送信装置から受信した前記オーディオ信号を出力するオーディオ信号受信装置と、を備えるオーディオ信号伝送システムにおけるオーディオ信号伝送方法であって、
前記オーディオ信号送信装置が、前記オーディオ信号受信装置に、前記オーディオ信号を送信するステップと、
前記オーディオ信号受信装置が、前記オーディオ信号送信装置から、前記オーディオ信号を受信するステップと、
前記オーディオ信号を受信した前記オーディオ信号受信装置が、ヘッドフォンにより前記オーディオ信号を出力するヘッドフォン機能が有効である場合に、前記オーディオ信号送信装置に、前記ヘッドフォン機能が有効であることを示すヘッドフォン情報を送信するステップと、
前記オーディオ信号送信装置が、前記オーディオ信号を受信した少なくとも１の前記オーディオ信号受信装置から、前記ヘッドフォン情報を受信した場合に、前記オーディオ信号送信装置による前記オーディオ信号の外部へ出力を停止するステップと、
を含む、オーディオ信号伝送方法。
【手続補正２】
【補正対象書類名】明細書
【補正対象項目名】００２２
【補正方法】変更
【補正の内容】
【００２２】
上記課題を解決するために、本発明の他の観点によれば、複数の外部接続機器と通信可能であり、前記外部接続機器から受信した前記オーディオ信号を出力するオーディオ信号受信装置であって、通信可能な状態にある前記外部接続機器から前記オーディオ信号を受信するオーディオ信号受信部と、ヘッドフォンにより前記オーディオ信号を出力するヘッドフォン機能が有効である場合に、前記外部接続機器に、前記ヘッドフォン機能が有効であることを示すヘッドフォン情報を送信するヘッドフォン情報送信部と、を備えるオーディオ信号受信装置が提供される。
【手続補正３】
【補正対象書類名】明細書
【補正対象項目名】００２３
【補正方法】変更
【補正の内容】
【００２３】
前記オーディオ信号受信部が受信した前記オーディオ信号を前記ヘッドフォンにより出力するヘッドフォン出力部と、前記複数のチャンネルのそれぞれで送信している前記オーディオ信号の種別を表すチャンネルマッピング情報を、前記外部接続機器から取得するチャンネルマッピング情報取得部と、取得した前記チャンネルマッピング情報に基づいて、前記オーディオ信号受信部が受信した前記オーディオ信号の中に、前記ヘッドフォン出力部が出力可能な前記オーディオ信号の種別であるヘッドフォン出力用オーディオ信号が含まれるか否かを判断する出力可否判断部と、前記ヘッドフォン機能が有効である場合に、前記出力可否判断部により前記ヘッドフォン出力用オーディオ信号が含まれると判断された場合には、当該ヘッドフォン出力用オーディオ信号を前記ヘッドフォン出力部に出力させるように制御する音声出力制御部と、をさらに備えることもできる。
【手続補正４】
【補正対象書類名】明細書
【補正対象項目名】００７０
【補正方法】変更
【補正の内容】
【００７０】
外部機器通信部２２１は、例えば、オーディオ信号送信装置１０や、各種のオーディオ信号出力装置等と通信するための通信デバイス等で構成された通信インターフェースである。この外部機器通信部２２１は、一般的なワイヤレスオーディオ伝送規格に則ったインターフェースであってもよく、特定のワイヤレスオーディオ伝送規格に則ったインターフェースであってもよい。また、外部機器通信部２２１としては、もちろん、例えば、オーディオ信号送信装置１０と、ケーブル等を介して有線によりデータ通信を行うための、外部出力端子（図示せず）のようなものであってもよい。本実施形態に係るオーディオ信号受信装置２０は、この外部機器通信部２２１を介して、オーディオ信号送信装置１０からオーディオ信号を受信するとともに、オーディオ信号送信装置１０と双方向データ通信を行う。
【手続補正５】
【補正対象書類名】明細書
【補正対象項目名】００７９
【補正方法】変更
【補正の内容】
【００７９】
図４に示すように、オーディオ信号送信装置１０は、送信オーディオ信号取得部１５１と、記憶部１５３と、外部出力部１５５と、ヘッドフォン出力部１５７と、オーディオ信号送信部１５９と、接続状況管理部１６１と、音声出力制御部１６３と、チャンネル（ＣＨ）マッピング情報生成部１６５と、接続管理情報送信部１６７と、を備える。
【手続補正６】
【補正対象書類名】明細書
【補正対象項目名】００８０
【補正方法】変更
【補正の内容】
【００８０】
送信オーディオ信号取得部１５１は、例えば、ＣＰＵ、ＲＯＭ、ＲＡＭ、ＥＥＰＲＯＭ、外部機器通信部等から構成され、ＣＤ，ＤＶＤ，ＢＤ等のプレーヤー等のオーディオ信号出力装置１２から出力されるオーディオ信号を取得して、オーディオ信号受信装置２０へと送信するオーディオ信号とする。また、送信オーディオ信号取得部１５１は、ラジオ放送等によるオーディオ信号をチューナ等を介して取得することもできる。さらに、送信オーディオ信号取得部１５１は、記憶部１５３にオーディオ信号が記録されている場合には、記憶部１５３からオーディオ信号を取得することも可能である。送信オーディオ信号取得部１５１が取得したオーディオ信号は、後述する外部出力部１５５、ヘッドフォン出力部１５７及びオーディオ信号送信部１５９へと伝送される。また、送信オーディオ信号取得部１５１が取得したオーディオ信号は、記憶部１５３に保存されてもよい。
【手続補正７】
【補正対象書類名】明細書
【補正対象項目名】０１６８
【補正方法】変更
【補正の内容】
【０１６８】
この際、例えばオーディオ信号受信装置２０に有線又は無線接続によりヘッドフォンが接続されたとすると、オーディオ信号受信装置２０の外部機器接続制御部２６７は、ヘッドフォンが接続された旨を外部機器接続状況通知部２６９に伝送する。この伝送を受けて、外部機器接続状況通知部２６９は、オーディオ信号送信装置１０に対して、オーディオ信号受信装置２０にヘッドフォンが接続された旨（ヘッドフォン情報）を送信する。オーディオ信号送信装置１０では、ヘッドフォンが接続されたことによりオーディオ信号受信装置２０のオーディオ信号出力状況が変化した旨（ヘッドフォン情報）を受けて、接続状況管理部１６１は接続状況を更新し、ＣＨマッピング情報生成部１６５は、図９Ｂに示したような新たなＣＨマッピング情報を生成する。
【手続補正８】
【補正対象書類名】明細書
【補正対象項目名】０１７５
【補正方法】変更
【補正の内容】
【０１７５】
また、上述の場合以外にも、例えば、オーディオ信号受信装置２０のユーザが、キー操作部２１１を介して、出力されているオーディオ信号の変更を要求した場合や、オーディオ信号受信装置２０のユーザが、オーディオ信号送信装置１０の種別を「サラウンドモード」から「マルチソースモード」へ変更するように要求した場合や、接続されているオーディオ信号受信装置２０の種別が変更になった場合（例えば、サラウンドモードのＣＨマッピング情報を必要とする装置（サラウンドアンプ、スピーカ）から、マルチソースモードのＣＨマッピング情報を必要とする装置に変更になった場合等）にも、ＣＨマッピング情報が変更される。
【手続補正９】
【補正対象書類名】明細書
【補正対象項目名】０１８５
【補正方法】変更
【補正の内容】
【０１８５】
オーディオ信号送信装置１０では、この通知を受信すると、オーディオ信号送信装置１０の外部への音声出力を停止する（ステップＳ４０５）。併せて、オーディオ信号送信装置１０では、ＣＨマッピング情報生成部１６５によって、ヘッドフォン用音源を含むＣＨマッピングにＣＨマッピング情報を変更する。続いて、オーディオ信号送信装置１０の接続状況管理部１６１は、ヘッドフォンが接続されたオーディオ信号受信装置２０の台数を更新し、オーディオ信号送信装置１０に接続されているすべてのオーディオ信号受信装置２０に対して、ヘッドフォンが接続されたことを通知する。ただし、このヘッドフォンが接続されたことの通知は、本実施形態では、オーディオ信号送信装置１０が、ヘッドフォン出力用のオーディオ信号が割り当てられて変更されたチャンネルマッピング情報を、オーディオ信号受信装置２０Ａ、２０Ｂに送信することにより行われる。これにより、オーディオ信号送信装置１０に接続されている全てのオーディオ信号送信装置２０Ａ、２０Ｂが変更されたチャンネルマッピング情報を取得し、オーディオ信号受信装置２０Ａ、２０Ｂは、変更されたチャンネルマッピングに従った音声出力を行うことにより、自動的に、外部出力を停止し、ヘッドフォン出力に切り替える（外部音声出力をミューティングする）ことができる。
【手続補正１０】
【補正対象書類名】明細書
【補正対象項目名】発明の名称
【補正方法】変更
【補正の内容】
【発明の名称】オーディオ信号送信装置、オーディオ信号受信装置及びオーディオ信号伝送方法